(57)【要約】【課題】外部空間と塵埃吸込室とを適宜連通させる連通手段を外れにくくすることができる電気掃除機を提供すること。【解決手段】内部に塵埃吸込室２３が設けられ且つ底面に塵埃吸込室２３への吸込開口２４が設けられた吸込口本体２１と、吸込開口２４の前方又は後方の少なくともどちらか一方と外部空間との間に位置すると共に、外部空間と塵埃吸込室２３とを適宜連通させる連通手段とを備えた電気掃除機１０であって、連通手段は吸込開口２４に沿って左右に延び且つ吸込口本体２１の前後方向の移動に伴って回動可能に設けられると共に、所定角度回動した際に被清掃面との間に間隙を形成して、外部空間と塵埃吸込室２３とを連通する平坦面３１が設けられた回動体３０を有し、吸込口本体２１には回動体３０の外部空間側の周面に対向する脱落防止突起（脱落防止部材）４０を設けた。【選択図】  図２
2004230011.tif 000002
【特許請求の範囲】
【請求項１】
内部に塵埃吸込室が設けられ且つ底面に前記塵埃吸込室への吸込開口が設けられた吸込口本体と、前記吸込開口の前方又は後方の少なくともどちらか一方と外部空間との間に位置すると共に、前記外部空間と前記塵埃吸込室とを適宜連通させる連通手段とを備えた電気掃除機であって、
前記連通手段は、前記吸込開口に沿って左右に延び且つ前記吸込口本体の前後方向の移動に伴って回動可能に設けられると共に、所定角度回動した際に被清掃面との間に間隙を形成して、前記外部空間と前記塵埃吸込室とを連通する平坦面が設けられた回動体を有し、
前記吸込口本体には、前記回動体の前記外部空間側の周面に対向する脱落防止部材が設けられたことを特徴とする電気掃除機。
【請求項２】
請求項１に記載の電気掃除機において、前記回動体には、被清掃面に接触して該被清掃面との間に生じる摩擦力により前記回動体を回動させる接触摩擦面が設けられ、
前記脱落防止部材は、前記接触摩擦面に対向する位置に設けられたことを特徴とする電気掃除機。
【請求項３】
請求項１又は２に記載の電気掃除機において、前記脱落防止部材は、前記回動体のほぼ中央部に対向する位置に設けられたことを特徴とする電気掃除機。
【発明の詳細な説明】
【０００１】
【発明の属する技術分野】
この発明は、吸込口本体の塵埃吸込室と外部空間とを適宜連通させる連通手段を備えた電気掃除機に関するものである。
【０００２】
【従来の技術】
従来の電気掃除機としては、図９に示すようなものが知られている（特許文献１参照）。
【０００３】
この電気掃除機１は、下ケース２ａと上ケース２ｂ等から構成される吸込口本体２を有している。そして、この吸込口本体２は、内部に塵埃吸込室３が設けられ、且つ、底面に塵埃吸込室３への吸込開口３ａが設けられている。さらに、この吸込口本体２の前面には、下面にまで亘って開口する吸塵口４が形成されている。この吸塵口４には、開口量を可変するための開閉体５が回動自在に設けられている。
【０００４】
そして、開閉体５は、図９（ｂ）に示すように、後方に向かって湾曲した下端縁５ａが下ケース２ａの底面２ｃに対向すると共に、突起部５ｂが前方に向かって突出するように図示しない開閉保持手段により保持されている。
【０００５】
この電気掃除機１によれば、被清掃面を掃除する場合には、開閉保持手段により開閉体５の下端縁５ａを被清掃面に対向させて、吸塵口４をほぼ閉塞するようになっている。
【０００６】
そして、電気掃除機１の前面が家具等に当接すると、前方に向かって突出している突起部５ｂが家具等に当接し、開閉保持手段に抗して開閉体５を回動させて吸塵口４の全面を開口させている。
【０００７】
【特許文献１】
特開２００２−６５５２３号公報（段落００１９、段落００２０、段落００３２、図１、図４）
【０００８】
【発明が解決しようとする課題】
ところで、上述の電気掃除機１の開閉体５は、図９（ｂ）に示すように、両端から突出するシャフト６が吸込口本体２に設けられた支持リブ７の軸支凹部７ａに嵌着されることで保持されている。つまり、この開閉体５は両端のみが保持されている。
【０００９】
そのため、被清掃面と開閉体５の下端縁５ａとの間に塵埃が挟まったり、絨毯等の被清掃面に吸込口本体２が沈んだりして被清掃面と開閉体５の下端縁５ａが当接した場合、開閉体５と被清掃面との間に摩擦力が生じることとなる。
【００１０】
そして、この摩擦力によってシャフト６が撓んで軸支凹部７ａから抜けやすくなり、開閉体５が外れてしまうという問題が生じていた。
【００１１】
特に、吸込開口３ａの前方からの吸引力を高めるために、吸込開口３ａの左右方向の長さとほぼ同じ程度の吸塵口４を形成すると共に、この吸塵口４を閉塞できる左右方向の長さを有する開閉体５を設けた場合では、この開閉体５の保持力が弱くなり、さらに抜けやすくなるおそれがあった。
【００１２】
この発明は、上記問題に鑑みてなされたもので、外部空間と塵埃吸込室とを適宜連通させる連通手段を外れにくくすることができる電気掃除機を提供することを目的としている。
【００１３】
【課題を解決するための手段】
この発明の電気掃除機は、内部に塵埃吸込室が設けられ且つ底面に塵埃吸込室への吸込開口が設けられた吸込口本体と、吸込開口の前方又は後方の少なくともどちらか一方と外部空間との間に位置すると共に、外部空間と塵埃吸込室とを適宜連通させる連通手段とを備え、連通手段は、吸込開口に沿って左右に延び且つ吸込口本体の前後方向の移動に伴って回動可能に設けられると共に、所定角度回動した際に被清掃面との間に間隙を形成して、外部空間と塵埃吸込室とを連通する平坦面が設けられた回動体を有し、吸込口本体には、回動体の外部空間側の周面に対向する脱落防止部材が設けられたことを特徴としている。
【００１４】
この発明によれば、連通手段である回動体の外部空間側の周面に対向する脱落防止部材が吸込口本体に設けられているので、回動体と被清掃面とが接触した際に生じる摩擦力によって回動体が外部空間側に撓んでも、脱落防止部材に当接して外れにくくすることができる。
【００１５】
【発明の実施の形態】
以下、図面に基づいてこの発明にかかる電気掃除機の実施の形態を説明する。
【００１６】
電気掃除機１０は、図１に示すように、上下方向に長く延びた掃除機本体１１と、掃除機本体１１に着脱可能に装着されたほぼ円筒形状の集塵容器１２と、掃除機本体１１に設けられて上下方向に延びた吸込風路管１３と、吸込風路管１３の一端である下端部に着脱自在に設けられた吸込口体２０とを備えている。なお、この電気掃除機１０はいわゆるアップライト式といわれる電気掃除機である。
【００１７】
掃除機本体１１は、ほぼ円筒形状を呈した中空のケース体１４と、ケース体１４の側方に設けられると共に、上方に向かって延在されたハンドル体１５とを有している。
【００１８】
ケース体１４内には、下側から順に、電動送風機１４ａと、コードリール１４ｂとが配設されている。そして、このケース体１４には、下面に形成された図示しない装着部を介して集塵容器１２が着脱自在に設けられている。この集塵容器１２はケース体１４内に形成された図示しない風路を介して電動送風機１４ａの吸込口に連通されている。
【００１９】
また、吸込風路管１３は、ハンドル体１５の下端部近傍から下方に向かって延在された中空管であり、下端部に装着された吸込口体２０の内部に形成された塵埃吸込室２２に連通されている。なお、吸込風路管１３と吸込口体２０とは、吸込口体２０の後部に起倒自在に設けられた接続管１６を介して接続されている。また、吸込風路管１３の他端の側面には装着口（図示せず）が形成され、吸込風路管１３はこの装着口を介して集塵容器１２に連通されている。
【００２０】
吸込口体２０は、図２に示すように、吸込口本体２１を有している。吸込口本体２１の外側は、下部ケース２２ａと、この下部ケース２２ａ上に結合される上部ケース２２ｂ等を有する本体ケース２２等により構成されている（図４参照）。そして、本体ケース２２内には塵埃吸込室２３が形成されている。
【００２１】
また、下部ケース２２ａの底面には、塵埃吸込室２３に連通すると共に塵埃を吸引する吸込開口２４が開口されており、塵埃吸込室２３内にはこの吸込開口２４に臨むように回転清掃体２５が回転自在に配置されている（図４参照）。
【００２２】
この回転清掃体２５は、ブレード２５ａ及びブラシ２５ｂを有し、吸込口本体２１内に配設された図示しないモータにより回転駆動される。なお、図２では、この回転清掃体２３は省略されている。
【００２３】
また、図２に示すように、下部ケース２２ａの底面には、吸込口本体２１の移動に伴って回転する検知ローラ２６が設けられ、この検知ローラ２６の回転方向によって吸込口本体２１の前進や後退が検知される。そして、検知ローラ２６での検知結果に基づいて図示しないモータの回転方向が制御される。また、下部ケース２２ａの後部には後輪２７が取り付けられている。
【００２４】
さらに、図４に示すように、吸込開口２４の前方と外部空間との間である吸込口本体２１の前方先端部には、外部空間に連通する凹所２８が形成されている。そして、この凹所２８内に連通手段である回動体３０が回動自在に設けられている。また、凹所２８と吸込開口２４との間には縦壁２９が設けられ、この縦壁２９の下端面は被清掃面Ｍとの間に隙間Ｇを形成している。
【００２５】
そして、凹所２８の外部空間側端部である吸込口本体２１の最前端２１ａには、脱落防止部材として脱落防止突起４０が設けられている。
【００２６】
この脱落防止突起４０は、下ケース２２ａの下面から被清掃面Ｍに向かって突出すると共に、中間部が吸込開口２４側に向かって屈曲された断面鉤形状を呈している。また、この脱落防止突起４０は回動体３０の外部空間側の周面に対向しており、ここでは回動体３０のほぼ中央部に対向する位置に設けられている。
【００２７】
回動体３０は、外部空間と塵埃吸込室２３とを適宜連通させる連通手段であり、吸込開口２４に沿って左右に延びると共に、略円柱形状を呈している。
【００２８】
そして、この回動体３０の周面には、所定角度回動した際に被清掃面Ｍに対向して、この被清掃面Ｍとの間に間隙を形成する平坦面３１が設けられている。なお、この平坦面３１は、回動体３０のほぼ全長に亘って設けられている。
【００２９】
さらに、回転体３０の両端面には左右方向に突出する支軸３２、３２が設けられ、これら支軸３２、３２は吸込口本体２１の凹所２８の両側壁面に回動自在に取り付けられている。また、これらの支軸３２、３２の少なくとの一方は、図示しないモータ等の回転駆動装置に接続されている。そして、検知ロータ２６によって検知された吸込口本体２１の進行方向に応じて回転駆動装置が制御され、回動体３０を所定の方向に回動させる。
【００３０】
なお、図には示してないが、回動体３０の両端面または凹所２８の両側壁面には、回動体３０の回動角度を、図４に示すように９０度の範囲に規制するストッパが設けられている。
【００３１】
また、この回動体３０には、平坦面３１を除いた周面全体に払拭部材３０Ａが貼り付けられている。この払拭部材３０Ａは起毛布等であり、凹所２８内に回動体３０が配置されたとき、凹所２８の内面に密着する。
【００３２】
次に、この電気掃除機１０の作用を説明する。
【００３３】
電気掃除機１０を使用するには、図示しないスイッチを入れて電動送風機１４ａを駆動させ、塵埃吸込室２３に吸込負圧を作用させる。そして、このように塵埃吸込室２３に吸込負圧が作用している状態で掃除機本体１１のハンドル体１５を操作し、吸込口体２０を被清掃面Ｍ上で前後方向に移動させながら掃除を行っていく。
【００３４】
そして、吸込口体２０を前進させた場合では、図３に示すように吸込口本体２１が前進する。このとき、回動体３０は、図示しない回転駆動装置により前進方向に対応して順方向（矢印で示す反時計回り方向）に回動駆動される。
【００３５】
さらに、回動体３０は図示しないストッパにより回転角度が規制され、平坦面３１を下方に向けた状態で保持されることとなる。
【００３６】
これにより、平坦面３１と被清掃面Ｍとの間には間隙（間隙Ｇにほぼ等しい）が形成され、吸込口本体２１の前方の外部空間と塵埃吸込室２３とが連通される。そして、吸込口体２０の前方にある塵埃を十分に吸引することが可能となる。
【００３７】
一方、吸込口本体２１を後退させた場合では、図４のように、回動体３０は図示しない回転駆動装置により後退方向に対応して順方向（矢印で示す時計回り方向）に回動駆動される。そして、ストッパにより回動角度が規制されるまで回動すると、周面の一部が被清掃面Ｍに接触すると共に、平坦面３１を前方に向けた状態となる。
【００３８】
このように、回動体３０の周面の一部が被清掃面Ｍに接触すると共に、払拭部材３０Ａが設けられた回動体３０の周面が凹所２８の内面に近接するので、外部空間と塵埃吸込室２３とが遮断される。これにより、塵埃吸込室２３内における吸込負圧が高まって、吸込口本体２１を後退させる際の塵埃吸込力を向上させることができる。
【００３９】
また、このとき、吸込口体２０は後退しているので、回動体３０と被清掃面Ｍとの間には吸込口体２０の前方に向かう摩擦力が発生する。そして、この摩擦力によって回動体３０には吸込口体２０の前方、すなわち外部空間側に引っ張られる力が作用する。
【００４０】
このとき、回動体３０は吸込開口２４の左右方向に沿って延びているので、吸込口体２０の前方に向かって撓むことがある。ここで、回動体３０が外部空間側に撓んでも、吸込口本体２１の最前端２１ａに設けられた脱落防止突起４０に当接して、撓みを抑制することができる。そして、回動体３０が吸込口本体２１から外れにくくすることができる。
【００４１】
さらに、脱落防止突起４０は回動体３０のほぼ中央部に位置しているので、回動体３０の保持部分である支軸３２、３２から離れていて、最も撓みやすい部分に対向しており、回動体３０の外れを効果的に防止することができる。
【００４２】
以上、この発明にかかる実施の形態の一つを図面により詳述してきたが、具体的な構成は上述の実施の形態に限らない。この発明の要旨を逸脱しない範囲の設計の変更等はこの発明に含まれる。
【００４３】
例えば、上述の実施の形態では、脱落防止突起４０が下ケース２２ａの下面に一体に形成されているが、図５（ａ）に示すように、下ケース２２ａと上ケース２２ｂとの間に挟持されたバンパー５０の下端面に設けてもよい。
【００４４】
この場合、比較的柔軟性を有するバンパー５０と一体に形成されるので、回動体３０が撓んだ際に受ける力を分散しやすくなる。そのため、脱落防止突起４１を破損しにくくすることができる。
【００４５】
また、図５（ｂ）に示すように、脱落防止突起４２を別部材によって形成し、吸込口本体２１を形成する際に、下ケース２２ａと上ケース２２ｂとの間に挟持させてもよい。
【００４６】
この場合、吸込口体２０を容易に組み立てることができると共に、脱落防止突起４２を交換することも可能となる。
【００４７】
さらに、図６に示すように、回転体３０の平坦面３１に被清掃面Ｍに接触して回転体３０を回動させる接触摩擦面３３を形成し、この接触摩擦面３３に対応して脱落防止突起４３を設けてもよい。
【００４８】
この場合、脱落防止突起４３は平坦面３１よりも突出している接触摩擦面３３に対応して設けられているので、回動体３０の撓みが少なくても、接触摩擦面３３が脱落防止突起４３に当接することとなる。そのため、回動体３０の僅かな撓みも抑制することができて、さらに効果的に回動体３０の脱落を防止することができる。
【００４９】
また、ここでは脱落防止突起４３は複数設けられているので、回動体３０はより外れにくくなる。
【００５０】
そして、図７に示すように、脱落防止突起４４は、吸込開口２４の後方に設けられた回動体３０と外部空間との間に設けられていてもよい。すなわち、吸込開口２４の後方に凹所２８Ａが形成され、この凹所２８Ａ内に回動体３０が回動自在に配置されると共に、凹所２８Ａの後端部に脱落防止突起４４が下方に突出して設けられている。
【００５１】
これにより、吸込口本体２１を前進させた際に、回動体３０に吸込口体２０の後方に向かって引っ張られる摩擦力が作用して、この回動体３０が後方に撓んでも、脱落防止突起４４に当接することができる。そして、回動体３０が外れることを防止できる。
【００５２】
さらに、図８に示すように、脱落防止突起４５、４６は、吸込開口２４の前方及び後方にそれぞれ設けられた前側、後側回動体３０Ｂ、３０Ｃと外部空間との間に設けられてもよい。
【００５３】
すなわち、吸込開口２４の前方に前側凹所２８Ｂが形成され、後方に後側凹所２８Ｃが形成されている。そして、この前側凹所２８Ｂ内に前側回動体３０Ｂが回動自在に配設され、後側凹所２８Ｃ内に後側回動体３０Ｃが回動自在に配置されている。さらに、この前側凹所２８Ｂの前端部に脱落防止突起４５が下方に突出して設けられ、後側凹所２８Ｃの後端部に脱落防止突起４６が下方に突出して設けられている。
【００５４】
この場合では、吸込口体２０の前進時に、吸込口体２０の後方に向かって撓む後側回動体３０Ｃの脱落を脱落防止突起４６によって防止することができる。そして、吸込口体２０の後退時に、吸込口体２０の前方に向かって撓む前側回動体３０Ｂの脱落を脱落防止突起４５によって防止することができる。
【００５５】
また、上述の実施の形態では、本発明に係る電気掃除機１０はいわゆるアップライト式の電気掃除機であるが、キャニスター式の電気掃除機や、ハンディ式の電気掃除機等であってもよい。
【００５６】
【発明の効果】
この発明によれば、外部空間と塵埃吸込室とを適宜連通させる連通手段を外れにくくすることができる電気掃除機を提供することができる。
【図面の簡単な説明】
【図１】この発明に係る電気掃除機の全体を示す斜視図である。
【図２】この発明に係る吸込口体の底面側の斜視図である。
【図３】この発明に係る吸込口体を前進させた場合を示す一部破断側面図である。
【図４】この発明に係る吸込口体を後退させた場合を示す一部破断側面図である。
【図５】（ａ）この発明に係る吸込口体の他の第一例の一部を示す要部断面図である。
（ｂ）この発明に係る吸込口体の他の第二例の一部を示す要部断面図である。
【図６】この発明に係る吸込口体の他の第三例の底面側の斜視図である。
【図７】この発明に係る吸込口体の他の第四例を示す一部破断側面図である。
【図８】この発明に係る吸込口体の他の第五例を示す一部破断側面図である。
【図９】（ａ）従来の吸込口体の底面を示す平面図である。
（ｂ）図８（ａ）のＡ−Ａ断面図である。
【符号の説明】
１０        電気掃除機
２０        吸込口体
２１        吸込口本体
２３        塵埃吸込室
２４        吸込開口
３０        回動体
３１        平坦面
４０        脱落防止部材（脱落防止突起）
【図１】
2004230011.tif 000003
【図２】
2004230011.tif 000004
【図３】
2004230011.tif 000005
【図４】
2004230011.tif 000006
【図５】
2004230011.tif 000007
【図６】
2004230011.tif 000008
【図７】
2004230011.tif 000009
【図８】
2004230011.tif 000010
【図９】
2004230011.tif 000011